Podtech/llm-jp-corpus-v4-ja_patent huggingface dataset:
【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】
エキセンジン-4(1-39)変異体のペプチド結合体であって、エキセンジン-4の36〜38位に対応する位置のPro残基が１、２または３個欠失しており、前記エキセンジン-4変異体は、そのC末端によってアミノ酸配列Ｚに連結されており、Ｚは１〜７個のLysアミノ酸残基を含む、前記ペプチド結合体。
【請求項２】
ＺがLys6である、請求項１に記載のペプチド結合体。
【請求項３】
エキセンジン-4変異体が、des Pro36エキセンジン-4(1-39)である、請求項１または請求項２に記載のペプチド結合体。
【請求項４】
ペプチド結合体が、遊離酸または薬学的に許容される塩の形態である、請求項１〜３のいずれか１項に記載のペプチド結合体。
【請求項５】
des Pro36-エキセンジン-4(1-39)-Lys6-NH2(配列番号93)、des Pro36Pro37-エキセンジン-4(1-39)-Lys6-NH2もしくはdes Pro36Pro37Pro38-エキセンジン-4(1-39)-Lys6-NH2、またはその遊離酸もしくは薬学的に許容される塩である、請求項１〜４のいずれか１項に記載のペプチド結合体。
【請求項６】
des Pro36-エキセンジン-4(1-39)-Lys6-NH2(配列番号93)またはその遊離酸もしくは薬学的に許容される塩である、請求項５に記載のペプチド結合体。
【請求項７】
請求項１〜６のいずれか１項に記載のペプチド結合体、および製薬上許容される担体を含む、医薬組成物。
【請求項８】
治療法に用いるための、請求項１〜６のいずれか１項に記載のペプチド結合体。
【請求項９】
医薬組成物の製造における、請求項１〜６のいずれか１項に記載のペプチド結合体の使用。
【請求項１０】
Ｉ型糖尿病もしくはII型糖尿病、インスリン抵抗性症候群、肥満、摂食障害、高血糖症、代謝異常または胃の疾患の治療用の医薬の製造における、請求項１〜７のいずれか１項に記載のペプチド結合体の使用。
【手続補正書】
【提出日】平成18年7月18日(2006.7.18)
【手続補正１】
【補正対象書類名】明細書
【補正対象項目名】００１１
【補正方法】変更
【補正の内容】
【００１１】
さらに、精油であるPycnanthemum floridanum（C. Shu等、J. Ess. Oil Res.（1994）、6（5）、529〜531）またはペパーミントの野生種（Nakayama T.; Higashiyama T. ; Sakata I.; Hashizume T.、Koryo, (1970)、97、47-56）のような天然生成物成分を分析している従来技術の文献では、“メントフロラクトン”として呼称される生成物を同定しているが、その構造を明記していない点に留意すべきである。この名称が示す構造について、文献中で混同が生じている：Ｃｈｅｍｉｃａｌ  Ａｂｓｔｒａｃｔでは、（６Ｒ）−４,５,６,７−テトラヒドロ−３,６−ジメチル−３Ｈ−ベンゾ[ｂ]フラン−２−オンで表される構造、すなわちラクトン（Ｉ）をメントフロラクトンとして参照しているが、従来技術ではこの名称を用いて、式（ＩＩ）の５,６,７,７ａ−テトラヒドロ−７ａ−ヒドロキシ−３,６−ジメチル−４Ｈ−ベンゾ[ｂ]フラン−２−オンを示している。
【手続補正書】
【提出日】平成18年4月25日(2006.4.25)
【手続補正１】
【補正対象書類名】明細書
【補正対象項目名】請求項１０
【補正方法】変更
【補正の内容】
【請求項１０】  実質的に窒素を含まないニオブ粉末で作った電解キャパシターアノードと比較したときに、ＤＣ漏れが約５０％又はそれ未満に減少する、請求項９に記載のニオブ粉末。
【手続補正２】
【補正対象書類名】明細書
【補正対象項目名】請求項１１
【補正方法】変更
【補正の内容】
【請求項１１】  実質的に窒素を含まないニオブ粉末で作った電解キャパシターアノードと比較したときに、ＤＣ漏れが約２５％又はそれ未満に減少する、請求項１に記載のニオブ粉末。
【手続補正３】
【補正対象書類名】明細書
【補正対象項目名】請求項２１
【補正方法】変更
【補正の内容】
【請求項２１】  ノジュラー状ニオブ粉末、フレーク状ニオブ粉末、角張ったニオブ粉末、又はそれらの組み合わせを含む、請求項１に記載のニオブ粉末。
【手続補正４】
【補正対象書類名】明細書
【補正対象項目名】００１９
【補正方法】変更
【補正の内容】
【００１９】
窒素化ニオブから作ったキャパシターのＤＣ漏れに関して、ＤＣ漏れの様々な減少を観察することができる。一般に、ニオブを窒化すると、実質的に窒素を含有しない（例えば、窒素が１００ｐｐｍ未満の）ニオブ粉末と比較したときに、約５０％又はそれ未満、又は２５％又はそれ未満への減少が観察された。
【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  位置に基づく情報を記憶および／または検索する方法であって：
複数の第１の場所の中の異なる場所をそれぞれ表わしている複数の指標付けノードを規定している指標付けデータを、どの情報記憶装置がアクセス可能かに関係して、記憶することと；
第２の場所を表わすための、前記指標付けノードの中のノードを選定することであって、それについての情報が、
ｉ）前記第１および第２の場所が所定の位置関係をもち、
ii）前記第１および第２の場所が大きさについての所定の関係をもつように、記憶および／または検索されることとを含む方法であって、
複数の遠隔通信ユーザ端末におけるユーザにとって同時にアクセス可能であるデータ記憶デバイスの分散形ネットワーク内で、前記指標付けノードを分散させる段階を特徴とする方法。
【請求項２】  前記第１および第２の場所が少なくとも1つの地理的位置を共有するように、前記第１の場所が選定される請求項１記載の方法。
【請求項３】  前記第１および第２の場所が大きさで似たものとなるように、前記第１の場所が選定される請求項１または２記載の方法。
【請求項４】  前記データが、比較的に大きい場所を表わすノードと、前記比較的に大きい場所に部分的に重なる１つ以上の比較的に小さい場所を表わす１つ以上のノードとを含むアクセスノードを規定する請求項１ないし３のいずれか1項記載の方法。
【請求項５】  比較的に小さい場所を表わす複数の前記ノードが、前記比較的に大きい場所の分割部分を形成している請求項４記載の方法。
【請求項６】  位置に基づく情報を記憶する方法であって：
各々が所定の場所に対して責務を負う複数の指標付けノードであって、より大きい場所に対して責務を負うより高いレベルのノードと、前記より大きい場所に部分的に重なるより小さい場所に対して責務を負うより低いレベルのノードとを含む複数の指標付けノードを規定することと、
前記指標付けノードにおいて場所別の情報を含んでいる情報源への参照に指標付けをし、異なる情報源参照が、前記より低いレベルのノードではなく、前記より高いレベルのノードにおいて指標付けされていることと；
前記参照を前記指標付けノードから要求に応じて送ることとを含み、
複数の遠隔通信ユーザ端末におけるユーザにとって同時にアクセス可能であるデータ記憶デバイスの分散形ネットワーク内で、前記指標付けノードを分散させる段階を特徴とする方法。
【請求項７】  少なくとも1つの情報源参照が、前記より高いレベルのノードおよび前記より低いレベルのノードにおいて共通して指標付けがされている請求項６記載の方法。
【請求項８】  位置に基づく情報を記憶する方法であって：
各々が所定の場所に対して責務を負う複数の指標付けノードを規定することと；
前記指標付けノードにおいて場所別情報を含んでいる情報源への参照に指標付けをし、このような参照の1つ以上が、前記ノードの異なるものにおいて反復的に指標付けされることと；
前記参照を前記指標付けノードから要求に応じて送ることとを含み、
複数の遠隔通信ユーザ端末におけるユーザにとって同時にアクセス可能であるデータ記憶デバイスの分散形ネットワーク内で、前記指標付けノードを分散させる段階を特徴とする方法。
【請求項９】  前記ノードが、ネットワーク構造においてインターリンクされている請求項４ないし８のいずれか１項記載の方法。
【請求項１０】  前記ネットワーク構造が、階層構造である請求項９記載の方法。
【請求項１１】  前記ノードが、親／子関係でインターリンクされている請求項１０記載の方法。
【請求項１２】  前記ノードが、同胞関係でインターリンクされている請求項１０または１１記載の方法。
【請求項１３】  前記ノードが、叔父／甥関係でインターリンクされている請求項１０ないし１２のいずれか１項記載の方法。
【請求項１４】  前記ノードが、いとこ／いとこ関係でインターリンクされている請求項１０ないし１３のいずれか１項記載の方法。
【請求項１５】  前記インターリンキングが、参照を保持しているノードを含み、それによって、関係するノードがアクセスされ得る請求項１１ないし１４のいずれか１項記載の方法。
【請求項１６】  前記データ記憶デバイス間で前記ノードの分散を変更することを含む請求項４ないし１５のいずれか1項記載の方法。
【請求項１７】  請求項１ないし１６のいずれか1項記載の方法にしたがって位置に基づく情報を記憶する装置。
【請求項１８】  ユーザに提示する情報を検索する方法であって：
ユーザの位置とユーザの移動速度との両方に依存して、ユーザにとって関心のある場所を規定することと；
関心のある規定された場所に基づいて、場所別情報が検索され得る指標付けノードを選定することとを含み、
複数の遠隔通信ユーザ端末におけるユーザにとって同時にアクセス可能であるデータ記憶デバイスの分散形ネットワーク内で、前記指標付けノードを分散させる段階を特徴とする方法。
【請求項１９】  ユーザの関心のある場所の範囲が、移動速度に依存して変更される請求項１８記載の方法。
【請求項２０】  関心のある場所の範囲が、移動速度に伴って増加する請求項１９記載の方法。
【請求項２１】  関心のある場所が、ユーザの移動方向に依存して変更される請求項１８ないし２０のいずれか1項記載の方法。
【請求項２２】  ユーザと共に移動する位置決め信号受信機から、ユーザの移動に関係するパラメータを導き出すことを含む請求項１８ないし２１のいずれか１項記載の方法。
【請求項２３】  請求項１７の装置において前記選定を行うことを含む請求項１８ないし２２の何れか１項記載の方法。
【請求項２４】  データ記憶デバイスの前記ネットワークが、データリンクによって相互接続され、分散形処理環境を形成している複数のサーバを含む請求項１ないし１６、または１８ないし２３の何れか1項記載の方法。
【請求項２５】  位置に基づく情報を記憶する装置であって、関連してインターリンクされていて、各々が自分が責務を負う場所を与えられている指標付けノードを規定する指標付けデータを記憶する手段と、どの情報記憶装置がアクセスされるかに関係して入力された場所と、前記指標付けノードが責務を負っている場所の大きさを比較する手段とを含み、
前記指標付けノードが、複数の遠隔通信ユーザ端末におけるユーザにとって同時にアクセス可能であるデータ記憶デバイスの分散形ネットワーク内で分散されていることを特徴とする装置。
【請求項２６】  前記装置が、前記指標付けノードの１つ以上の追加または削除によって再構成可能であり、１つ以上の他のノード間で、少なくとも1つの地理的位置を共有している責務の場所について、責務を移す請求項２５記載の装置。
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
組換えＮ−グリコシル化標的タンパク質の産生のためのシステムであって、標的タンパク質に要求されるＮ−グリコシル化を行うことができる代謝装置をコードする遺伝情報が導入された原核生物を含み、該原核生物が１または複数の組換え標的タンパク質の発現に必要な遺伝情報もまた含むものであるシステム。
【請求項２】
代謝装置が脂質キャリア上へのオリゴ糖の集合のための特定のグリコシルトランスフェラーゼおよびこのオリゴ糖を所望の標的タンパク質の特定の残基へと共有結合させるＯＴａｓｅを含む請求項１のシステム。
【請求項３】
原核生物が大腸菌である請求項１または２のシステム。
【請求項４】
原核生物が特定のグリコシルトランスフェラーゼのタイプによって規定される特定の構造を有するＮ−グリカンを産生する請求項２または３のシステム。
【請求項５】
組換えＮ−グリコシル化標的タンパク質の産生方法であって、標的タンパク質に要求されるＮ−グリコシル化を行うことができる代謝装置をコードする遺伝情報を原核生物に導入することを含み、該原核生物には１または複数の組換え標的タンパク質の発現に必要な遺伝情報もまた導入される方法。
【請求項６】
代謝装置が脂質キャリア上へのオリゴ糖の集合のための特定のグリコシルトランスフェラーゼおよびこのオリゴ糖を所望の標的タンパク質の特定の残基へと共有結合させるＯＴａｓｅを含む請求項５の方法。
【請求項７】
原核生物が大腸菌である請求項５または６の方法。
【請求項８】
特定のグリコシルトランスフェラーゼの選択によって、原核生物が該特定のグリコシルトランスフェラーゼのタイプによって規定される特定の構造を有するＮ−グリカンを産生する請求項６または７の方法。
【請求項９】
ヒトまたは動物または植物の治療のための薬物の開発または薬物の製造のための標的タンパク質の産生のための請求項１〜４のいずれかのシステムまたは請求項５〜８のいずれかの方法の利用。
【請求項１０】
請求項１〜４のいずれかのシステムまたは請求項５〜８のいずれかの方法によって産生される栄養用途および／または医薬用途のタンパク質。
【請求項１１】
請求項１〜４のいずれかのシステムまたは請求項５〜８のいずれかの方法によって産生されるヒトまたは動物または植物のための薬物。
【請求項１２】
薬物がワクチンまたはサイトカインである請求項１１の薬物。
【請求項１３】
請求項１〜４のいずれかのシステムまたは請求項５〜８のいずれかの方法によって産生されるタンパク質を含む工業用酵素、機能性食品、化粧品、包装材料または繊維製品。
【請求項１４】
請求項１〜４のいずれかのシステムまたは請求項５〜８のいずれかの方法によって産生される薬物を含む、ヒトまたは動物または植物の疾患の治療用組成物。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
逐次的に解放可能なばね式駆動部を備えたハウジングを有し、前記ばね式駆動部は、先ず前記ハウジング内に注射器を前進させて前記注射器の針を前記ハウジングの前端から突出させ、次に前記注射器内のピストンを前方に押して前記針を通して内容物を放出する、注入装置であって、前記ばね式駆動部は、前記ピストンと協働するように整合配置されたプランジャと前記ハウジングとの間で作用する第１ばねと、前記プランジャと前記注射器との間で作用する第２ばねとを有し、前記第２ばねは、前記第１ばねよりは弱いが、前記針が患者の肉体を貫通する前方位置に前記注射器が達したときに、伸長状態を維持できる程度に十分な強度を有し、前記第１ばねは、十分に伸長したときに、前記第２ばねを圧縮して前記プランジャを前方に付勢し、それにより前記ピストンを移動させて前記注射器内の内容物を放出し、一方前記第２ばねは、前記注射器を前記前方位置に保持するように作用する、注入装置。
【請求項２】
前記プランジャは、制限された範囲内で軸方向に摺動可能なカラーを有し、前記第２ばねは前記カラーの後部に当接し、前記カラーの前部は前記注射器と協働する、請求項１に記載の注入装置。
【請求項３】
使用前は前記針が前記ハウジング内に引込まれるように、前記注射器を後方に付勢する弱い第３ばねを有する、請求項１又は２に記載の注入装置。
【請求項４】
前記第３ばねは、前記注射器を取囲み、前記注射器の後部フランジと前記ハウジングの内側の肩との間で作用する、請求項３に記載の注入装置。
【手続補正２】
【補正対象書類名】明細書
【補正対象項目名】００１１
【補正方法】変更
【補正の内容】
【００１１】
注射器を前方に移動させる装置は、先ず注射器本体を移動させ、次に内容物を排出するために注射器のピストンを前方に移動させるものであり、縦に並んだ２つのばね４及び５から構成される。後方の第１ばね４は、第２ばね５よりも強く、バレルの後端とマッシュルーム形状の部材７のヘッド６との間で作用する。部材７のステム８は、前方に延びて注射器２の後端に入ることができる。ステム８が貫通する第２ばね５は、ヘッド６とカラー９との間で作用する。カラー９はステムに沿って摺動可能であるが、前方への移動は座金１０によって制限される。さらに軽い第３ばね１１は、注射器の後部フランジ１２に対して後ろ向きに作用し、注射器本体を取囲んで、バレル１の内側の肩１３に反作用する。駆動ばね４のためのリリーストリガは、単純化のため図示しない。
【手続補正書】
【提出日】平成18年1月6日(2006.1.6)
【手続補正１】
【補正対象書類名】明細書
【補正対象項目名】００３７
【補正方法】変更
【補正の内容】
【００３７】
血液処理機器として、透析装置は、半透膜２によって血液チャンバ３と透析液チャンバ４とに分割されたダイアライザ１を有する。動脈血ライン５が血液チャンバ３の入口に繋がり、蠕動血液ポンプ６が前記動脈血ラインに接続されている。静脈血ライン７が血液チャンバ３から延び、点滴チャンバ８が前記静脈ラインに接続されている。動脈血ラインおよび静脈血ライン５、７の終わりには、カニューレ５a、７aが接続されており、これらが患者に差し込まれている。動脈血ラインおよび静脈血ラインは、使い捨て可能になるよう設計された軟質チューブラインシステムの構成要素である。
【手続補正２】
【補正対象書類名】明細書
【補正対象項目名】００４４
【補正方法】変更
【補正の内容】
【００４４】
透析処理の開始時ではＲＢＶ(t0)＝１であるので、メモリおよび評価ユニットは、この時間に対してＲＢＶ(t)を決定することができる。一方、上記方程式は、t0が処理の開始時と一致しない場合、したがってＲＢＶ(t0)が必ずしも１であるとは限らない場合、２つの任意の時間t0およびtに関しても使用することができる。しかしＲＢＶ(t0)がわかっていない場合、メモリおよび評価ユニットは、ＲＢＶ(t0)の値が１である場合と比較した上記方程式に従うＲＢＶの相対的な変化を決定することができる。
【手続補正３】
【補正対象書類名】特許請求の範囲
【補正対象項目名】請求項８
【補正方法】変更
【補正の内容】
【請求項８】
血液処理の指定された時間tで、当該時間tよりも前の時間t0でのヘマトクリットＨＫＴ(t0)と当該時間tよりも前の時間t0での血液量ＲＢＶ(t0)との積ＨＫＴ(t0)ＲＢＶ(t0)を、指定時間ｔでのヘマトクリットＨＫＴ(t)で割ることにより、血液量ＲＢＶを計算することを特徴とする、請求項７に記載の方法。
【手続補正４】
【補正対象書類名】特許請求の範囲
【補正対象項目名】請求項１６
【補正方法】変更
【補正の内容】
【請求項１６】
前記メモリおよび評価ユニット(15)が、血液処理の指定された時間tで、当該時間tよりも前の時間t0でのヘマトクリットＨＫＴ(t0)と当該時間tよりも前の時間t0での血液量ＲＢＶ(t0)との積ＨＫＴ(t0)ＲＢＶ(t0)を、指定時間ｔでのヘマトクリットＨＫＴ(t)で割ることにより、血液量ＲＢＶを計算するように設計されていることを特徴とする請求項１５に記載の装置。
【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】多孔性アプリケーターを備える局所的流体送達およびその使用方法
【手続補正２】
【補正対象書類名】特許請求の範囲
【補正対象項目名】全文
【補正方法】変更
【補正の内容】
【特許請求の範囲】
【請求項１】
以下を含む、流体を標的生理学的部位と局所的に接触させるための装置：
(a)近位端および遠位端を備えた流体送達要素；
(b)流体が標的生理学的部位と接触するには通過する必要がある、流体送達要素の遠位端に設けられた多孔性領域；ならびに
(c)吸引要素。
【請求項２】
以下を含む、標的血管部位に流体を局所的に接触させるための血管用流体送達装置：
(a)近位端および遠位端を備えた流体送達内腔；
(b)吸引内腔；ならびに
(c)流体が標的血管部位と接触するには、多孔性流体流路を通過する必要があり、流体が吸引内腔によって多孔性流体流路を通して引き込まれるように、流体送達内腔の近位端に設けられた多孔性流体流路。
【請求項３】
以下を含む、大動脈弁を流体と局所的に接触させる装置：
(a)近位端および遠位端を備えた流体送達内腔；
(b)吸引用内腔；ならびに
(c)流体が大動脈弁と接触するには、多孔性流体流路を通過する必要があり、流体が吸引内腔によって多孔性流体流路を通して引き込まれるように、大動脈弁の大動脈洞の内側に嵌るよう形状が決められており、かつ流体送達内腔の遠位端に位置している、多孔性流体流路。
【請求項４】
以下を含む、大動脈弁を流体と局所的に接触させる装置：
(a)近位端および遠位端を備えた流体送達内腔；
(b)吸引内腔；ならびに
(c)流体が大動脈弁と接触するには、多孔性流体流路を通過する必要があり、流体が吸引内腔によって多孔性流体流路を通して引き込まれるように、大動脈弁の大動脈洞の内側に嵌るよう形状が決められており、かつ流体送達内腔の遠位端に位置している、3本の別々の多孔性流体流路；
(d)大動脈弁心室閉塞要素；
(e)シャント；ならびに
(f)キャップ要素。
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
各々が服用量の医薬を多数保持する１つ若しくはそれ以上のブリスタカードを取り外し可能な形で保持し、服用量の医薬を１つ若しくはそれ以上服用することに関連してユーザまたは患者に通知するよう適合された医療用ディスペンサであって：
前記ブリスタカードは、複数の所定位置のうちの１つ若しくはそれ以上の各位置に、刻み目、孔部または突状部を備え、
前記ディスペンサは、前記所定位置の各々の刻み目、孔部または突状部を検出する手段を有しており、
検出手段からの出力に基づいて、通知手段を動作させる手段を備え、
前記ディスペンサは、刻み目、孔部または突状部が検出されたブリスタカードの位置から、以下の事項：
服用量の医薬の推奨服用の頻度、
服用量の医薬の服用時間内の推奨ポイント、及び
ユーザまたはオペレータへの通知方法、
のうちの１つ若しくはそれ以上を特定するよう適合されている、
ことを特徴とする医療用ディスペンサ。
【請求項２】
以下の事項：
刻み目、孔部もしくは突状部、またはブリスタカードの所定位置に刻み目、孔部もしくは突状部が存在しないことにより特定される予め決められた投薬スケジュール、及び
ユーザまたはオペレータが、服用量の薬剤の少なくとも１つへのアクセスを得る時間内のポイントに関連する情報、
に基づいて、ユーザまたはオペレータの医療服用量の服用のコンプライアンスを決定する手段を更に含んでいる、
ことを特徴とする請求項１記載の医療用ディスペンサ。
【請求項３】
ユーザまたはオペレータに服用量の薬剤を服用するよう通知する手段と、
以下の事項：
刻み目、孔部もしくは突状部、またはブリスタカードの所定位置に刻み目、孔部もしくは突状部が存在しないことにより特定される予め決められた投薬スケジュール、及び
時計装置、
に基づいて、ユーザにいつ通知するかを決定する手段と、を更に備えている、
ことを特徴とする請求項１又は２に記載の医療用ディスペンサ。
【請求項４】
ブリスタカードの他の位置にある更なる刻み目へと導入する固定手段を更に備え、該固定手段は、更なる刻み目を有していないブリスタカードが検出手段と係合することを防止する、ことを特徴とする請求項１から３の何れか一に記載の医療用ディスペンサ。
【請求項５】
ディスペンサはブリスタカードが、少なくとも実質的にその縦方向に沿った方向において湾曲するように、１枚若しくはそれ以上のブリスタカードを保持することができる、ことを特徴とする請求項１から４の何れか一に記載の医療用ディスペンサ。
【請求項６】
請求項１から５の何れか一に記載のディスペンサにおいて使用されるブリスタカードであって、
各々が服用量の医薬を保持する多数のブリスタを有し、前記ブリスタカードは複数の所定位置のうちの１つ若しくはそれ以上の位置の各々に刻み目または突状部を備えている、
ことを特徴とするブリスタカード。
【請求項７】
各々が服用量の医薬を多数保持する１つ若しくはそれ以上のブリスタカードを取り外し可能な形で保持し、このブリスタカードは、複数の所定位置のうちの１つ若しくはそれ以上の各位置に、刻み目、孔部または突状部を備え、服用量の医薬を１つ若しくはそれ以上服用することに関連してユーザまたは患者に通知するよう適合されたディスペンサの動作方法であって、
前記ディスペンサの検出手段を用いて、各々の所定位置で、その位置に在るあらゆる刻み目、孔部または突状部の何れかを検出するステップと、
前記検出手段からの出力に基づいて通知手段を動作させるステップと、を備え、
更に、刻み目、孔部または突状部が検出されたブリスタカードの位置から、
以下の事項：
服用量の医薬の推奨服用の頻度、
服用量の医薬の服用時間内の推奨ポイント、及び
ユーザまたはオペレータへの通知方法、
のうちの１つ若しくはそれ以上を特定するステップを備えている、
ことを特徴とするディスペンサの動作方法。
【請求項８】
前記検出ステップが、突状部を有する所定位置の各々で、またはその位置に刻み目若しくは孔部が存在しない場合に、置き換え可能な検出手段を置き換えるステップを備えている、ことを特徴とする請求項７記載の方法。
【請求項９】
以下の事項：
刻み目、孔部若しくは突状部、またはブリスタカードの所定位置に刻み目、孔部若しくは突状部が存在しないことにより特定される、予め決められた投薬スケジュール、及び
ユーザまたはオペレータが、服用量の薬剤の少なくとも１つへのアクセスを得る時間内のポイントに関連する情報、
に基づいて、ユーザまたはオペレータの服用量の医薬の服用のコンプライアンスを決定するステップを更に備えている、
ことを特徴とする請求項７又は８に記載の方法。
【請求項１０】
ユーザまたはオペレータに、服用量の薬剤を服用するよう通知するステップと、
以下の事項：
刻み目、孔部若しくは突状部、またはブリスタカードの所定位置に刻み目、孔部若しくは突状部が存在しないことにより特定される、予め決められた投薬スケジュール、及び
計時装置、
に基づいて、ユーザにいつ通知するかを決定するステップと、を更に備えている、
ことを特徴とする請求項７から９の何れか一に記載の方法。
【請求項１１】
ブリスタカードが、少なくとも実質的にその縦方向に沿った方向において湾曲するよう、ディスペンサが１枚若しくはそれ以上のブリスタカードを保持するステップを備えていることを特徴とする請求項７から１０の何れか一に記載の方法。
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
癌関連遺伝子の活性を調節する物質を同定するためのプロセスであって、ここで前記プロセスが、
（ａ）化合物を、配列番号１から８１のポリヌクレオチド配列より成るグループから選択された配列を持つポリヌクレオチドに対応する遺伝子を含む細胞と、前記遺伝子の発現を促進する条件下で接触させ、
（ｂ）前記化合物が存在しない場合と比較した前記遺伝子の発現の差異を検出し、
それにより癌関連遺伝子の活性を調節する物質を同定することを含むことを特徴とするプロセス。
【請求項２】
前記遺伝子が、配列番号１から８１のポリヌクレオチド配列より成るグループから選択された配列を持つことを特徴とする請求項１に記載のプロセス。
【請求項３】
前記細胞が癌細胞であり、前記発現の差異が発現の減少であることを特徴とする請求項１または２に記載のプロセス。
【請求項４】
前記癌細胞が、乳癌細胞であることを特徴とする請求項３に記載のプロセス。
【請求項５】
抗腫瘍物質を同定するためのプロセスであって、ここで前記プロセスが、
腫瘍性活性を示す細胞を、請求項１ないし４のいずれか一つに記載のプロセスを用いて癌関連遺伝子調節因子であると最初に同定された化合物と接触させ、
前記接触がない場合と比較した前記接触後の前記腫瘍性活性の減少を検出することを含むことを特徴とするプロセス。
【請求項６】
前記腫瘍性活性が、促進された細胞の複製であることを特徴とする請求項５に記載のプロセス。
【請求項７】
前記腫瘍性活性の減少が、細胞の死に起因することを特徴とする請求項５に記載のプロセス。
【請求項８】
抗腫瘍物質を同定するためのプロセスであって、ここで前記プロセスが、
癌状態を示す動物に、請求項１に記載のプロセスにしたがって最初に同定された物質の有効量を投与し、
前記癌状態の減少を検出することを含むことを特徴とするプロセス。
【請求項９】
細胞の癌状態を判断するためのプロセスであって、ここで前記プロセスが、配列番号１から８１のポリヌクレオチド配列より成るグループから選択された配列を持つポリヌクレオチドに対応する遺伝子の前記細胞中での発現レベルの増加を測定することを含み、ここで既知の非癌細胞と比較して増加した発現が癌状態あるいは潜在的な癌状態を示唆することを特徴とするプロセス。
【請求項１０】
前記増加した発現が、複製数の増加に起因することを特徴とする請求項９記載のプロセス。
【請求項１１】
配列番号８２から１０９のポリペプチド配列より成るグループから選択されたアミノ酸配列と相同なアミノ酸配列を含む単離されたポリペプチドであって、ここで前記アミノ酸配列と配列番号８２から１０９のポリペプチド配列の配列との間の差異がもっぱら保存されたアミノ酸置換に起因し、またここで前記単離されたポリペプチドが最低一つの免疫原性断片を含むことを特徴とする単離されたポリペプチド。
【請求項１２】
配列番号８２から１０９のポリペプチド配列より成るグループから選択されたアミノ酸配列を含む単離されたポリペプチド。
【請求項１３】
配列番号８２から１０９のポリペプチド配列より成るグループから選択されたアミノ酸配列を含むポリペプチドと結合する抗体。
【請求項１４】
前記抗体が組換え抗体であることを特徴とする請求項１３に記載の抗体。
【請求項１５】
前記抗体が合成抗体であることを特徴とする請求項１３に記載の抗体。
【請求項１６】
前記抗体がヒト化抗体であることを特徴とする請求項１３に記載の抗体。
【請求項１７】
請求項１３に記載の抗体と細胞傷害性物質より成る免疫複合体。
【請求項１８】
前記細胞傷害性物質が、カリーチアマイシン、メイタンシノイド、アドゼレシン、細胞傷害性タンパク質、タキソール、タキソティア、タキソイドおよびＤＣ１より成るグループから選択されたものであることを特徴とする請求項１７に記載の免疫複合体。
【請求項１９】
前記カリーチアマイシンが、カリーチアマイシンγ１ｌ、Ｎ−アセチル  ガンマ  カリーチアマイシン  ジメチル  ヒドラジドあるいはカリーチアマイシンθ１ｌであることを特徴とする請求項１８に記載の免疫複合体。
【請求項２０】
前記メイタンシノイドが、ＤＭ１であることを特徴とする請求項１８に記載の免疫複合体。
【請求項２１】
前記細胞傷害性タンパク質が、リシン、アブリン、ゲロニン、シュードモナス外毒素あるいはジフテリア毒素であることを特徴とする請求項１８に記載の免疫複合体。
【請求項２２】
前記タキソールが、パクリタキセルであることを特徴とする請求項１８に記載の免疫複合体。
【請求項２３】
前記タキソティアが、ドセタキセルであることを特徴とする請求項１８に記載の免疫複合体。
【請求項２４】
請求項１１に記載のポリペプチドを含む免疫原性組成物。
【請求項２５】
請求項１２に記載のポリペプチドを含む免疫原性組成物。
【請求項２６】
化合物の遺伝子調節活性に関する試験情報を生み出すための方法であって、ここで前記方法が、
（ａ）化合物を、配列番号１から８１のポリヌクレオチド配列より成るグループから選択された配列を持つポリヌクレオチドに対応する遺伝子を含む細胞と、前記遺伝子の発現を促進する条件下で接触させ、
（ｂ）前記化合物が存在しない場合と比較した前記遺伝子の発現の差異を検出し、
（ｃ）遺伝子調節活性を示す、配列番号１から８１に対応する測定された遺伝子の発現の減少に基づく、前記化合物の遺伝子調節活性に関する試験情報を生み出すことを含むことを特徴とする方法。
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
未成熟ヒト卵母細胞を成熟するまで培養する段階を含んでなる未成熟ヒト卵母細胞の体外での成熟方法であって、該未成熟卵母細胞が、内因性黄体形成ホルモンレベルの増加した女性ヒト被検体であって、かつ、巣刺激プロトコルを受けていない該被検体由来であることを特徴とする成熟方法。
【請求項２】
被験体の内因性黄体形成ホルモンレベルがヒト絨毛性ゴナドトロピンもしくは黄体形成ホルモン、または両方の使用により増加したものである請求項１に記載の方法。
【請求項３】
ヒト絨毛性ゴナドトロピンが約５０００〜約２０，０００ＩＵの量で使用される請求項１に記載の方法。
【請求項４】
未成熟ヒト卵母細胞がＭ−Ｉ期卵母細胞を含んでなる請求項１に記載の方法。
【請求項５】
未成熟ヒト卵母細胞がＧＶ期卵母細胞を含んでなる請求項１に記載の方法。
【請求項６】
未成熟ヒト卵母細胞がＭ−ＩＩに達するまで培養される請求項１に記載の方法。
【請求項７】
卵母細胞が、無傷であるかもしくは少なくとも部分的に無傷である卵丘を有し、そして／または該卵母細胞が卵丘細胞の存在下で培養される請求項１に記載の方法。
【請求項８】
卵母細胞が上皮増殖因子を本質的に含まない培養培地において培養される請求項７に記載の方法。
【請求項９】
卵母細胞が繊維芽細胞増殖因子を本質的に含まない培養培地において培養される請求項７に記載の方法。
【請求項１０】
卵母細胞がヒトトランスフェリンを本質的に含まない培養培地において培養される請求項７に記載の方法。
【請求項１１】
卵母細胞がインシュリンを本質的に含まない培養培地において培養される請求項７に記載の方法。
【請求項１２】
卵母細胞がセレナイトを本質的に含まない培養培地において培養される請求項７に記載の方法。
【請求項１３】
卵母細胞がヒドロコルチゾンを本質的に含まない培養培地において培養される請求項７に記載の方法。
【請求項１４】
卵母細胞が上皮増殖因子、繊維芽細胞増殖因子、ヒトトランスフェリン、インシュリン、セレナイト、およびヒドロコルチゾンを本質的に含まない培養培地において培養される請求項７に記載の方法。
【請求項１５】
被験体がゴナドトロピン放出ホルモンアゴニスト、ヒト閉経期ゴナドトロピンもしくは卵胞刺激ホルモンで処置されていない請求項１に記載の方法。
【手続補正書】
【提出日】平成17年9月28日(2005.9.28)
【手続補正１】
【補正対象書類名】明細書
【補正対象項目名】００４９
【補正方法】変更
【補正の内容】
【００４９】
他の群の有用な生物学的に活性な化合物は抗生物質である。抗生物質の例は、ペニシリン、テトラサイクリン、クロルアンフェニコル、ミノサイクリン、ドキシサイクリン、バンコマイシン、バシトラシン、カナマイシン、ネオマイシン、ゲンタマイシン、エリトロマイシンおよびセファロスポリン類を包含する。セファロスポリン類の例は、セファロチン、セファピリン、セファゾリン、セファレキシン、セフラジン、セファドロキシル、セファマンドール、セホキチン、セファクロール、セフロキシム、セホニシド、セホラニド、セフォタキシム、モキサラクタム、セフチゾキシム、セフトリアキソン、およびセホペラゾンを包含する。
【手続補正２】
【補正対象書類名】明細書
【補正対象項目名】００５１
【補正方法】変更
【補正の内容】
【００５１】
他の群の有用な生物学的に活性な化合物は抗ウイルス剤である。抗ウイルス剤の例は、α−メチル−Ｐ−アダマンタンメチルアミン）、［ヒドロキシ−エトキシ］メチルグアニン、アダマンタンアミン、５−ヨード−２’−デオキシウリジン、トリフルオロチミジン、インターフェロン、およびアデニンアラビノシドを包含する。
【手続補正３】
【補正対象書類名】明細書
【補正対象項目名】００５２
【補正方法】変更
【補正の内容】
【００５２】
他の群の有用な生物学的に活性な化合物は酵素阻害剤である。酵素阻害剤の例は、エドロフォニウムクロリド、Ｎ−メチルフィソスチグミン、ネオスチグミンブロミド、フィソスチグミンサルフェート、タクリンＨＣｌ、タクリン、１−ヒドロキシマレエート、ヨードツベルシジン、ｐ−ブロモテトラアミソール、１０−（α−ジエチルアミノプロピオニル）−フェノチアジンヒドロクロリド、カルミダゾリウムクロリド、ヘミクロリニウム−３，３，５−ジニトロカテコール、ジアシルグリセロールキナーゼ阻害剤１、ジアシルグリセロールキナーゼ阻害剤ＩＩ、３−フェニルプロパルギルアミン、Ｎ−モノメチル−Ｌ−アルギニンアセテート、カルビドーパ、３−ヒドロキシベンジルヒドラジンＨＣｌ、ヒドララジンＨＣｌ、クロルギリンＨＣｌ、デプレニルＨＣｌ，Ｌ（−）、デプエニルＨＣｌ，Ｄ（＋）、ヒドロキシルアミンＨＣｌ、イプロニアジドホスフェート、６ＭｅＯ−テトラヒドロ−９Ｈ−ピリド−インドール、ニアラミド、パルギリンＨＣｌ、キナクリンＨＣｌ、セミカルバジドＨＣｌ、トラニルサイプロマインＨＣｌ、Ｎ，Ｎ−ジエチルアミノエチル−２，２−ジフェニルバレレートヒドロクロリド、３−イソブチル−１−メチルキサンチン、パパベリンＨＣｌ、インドメタシン、２−シクロオクチル−２−ヒドロキシエチルアミンヒドロクロリド、２，３−ジクロロ−α−メチルベンジルアミン（ＤＣＭＢ）、８，９−ジクロロ−２，３，４，５−テトラヒドロ−１Ｈ−２−ベンザゼピンヒドロクロリド、ｐ−アミノグルテチミド、ｐ−アミノグルテチミドタートレート，Ｒ（＋）、ｐ−アミノグルテチミドタートレート，Ｓ（−）、３−ヨードチロシン、アルファ−メチルチロシン，Ｌ（−）、アルファ−メチルチロシン，ＤＬ（−）、セタゾールアミド、ジクロルフェンアミド、６−ヒドロキシ−２−ベンゾチアゾールスルホンアミド、およびアロプリノールを包含する。
【手続補正４】
【補正対象書類名】明細書
【補正対象項目名】００９９
【補正方法】変更
【補正の内容】
【００９９】
全３回の洗浄の前後の微粒子の顕微鏡写真を表す図を図３に示す。図３ａは洗浄前の０．３ｍｇ／ｍＬ（ＢＢＡ−ＡＰＭＡ：ＶＰ）−Ｉマトリクス中での９．９μｍ微粒子を示し、そして図３ｂは洗浄後の０．３ｍｇ／ｍＬ（ＢＢＡ−ＡＰＭＡ：ＶＰ）−Ｉマトリクス中での９．９μｍ微粒子を示す。結果を表２および表３に示す。表２＆３で示されるように：Ｎ＝喪失無し、Ｓ＝僅かな喪失、Ｍ＝中程度の喪失、Ｈ＝重大な喪失、Ｃ＝完全な喪失、ＰＢＳＴ＝室温での１Ｘ ＰＢＳ−０．１％トゥイーン−２０洗浄１時間、４Ｘ ＳＳＣ＝４５℃での４Ｘ ＳＳＣ−０．１％ＳＤＳ洗浄４５分間、最終＝４５℃での５Ｘ ＳＳＣ−０．１％ＳＤＳ洗浄２時間。
【手続補正５】
【補正対象書類名】明細書
【補正対象項目名】０１２４
【補正方法】変更
【補正の内容】
【０１２４】
デキサメタゾンを含むポリ（ラクチド−コ−グリコシド）（ＰＬＧＡ）微粒子を、オイル−イン−ウォータ乳液／溶液蒸発技術（ヴィチャート，Ｂ．およびローデワルド，Ｐ．（１９９３）J. Microencapsul.１０：１９５）により調製した。該油相は、９：１ジクロロメタン：メタノール５ｍＬ中に溶解したデキサメタゾン（アルドリッチ社製、セントルイス、ミズーリ）２０ｍｇと、ＰＬＧＡ（５０：５０ラクチド：グリコリド、平均ＭＷ５００００〜７５０００、アルドリッチ社製、セントルイス、ミズーリ）１００ｍｇとからなった。この油相を、０．２％（ｗ／ｖ）のポリビニルアルコール（ＰＶＡ）水溶液（アルドリッチ社製、セントルイス、ミズーリ）１００ｍＬに、カフラモ機械式攪拌機（モデルＲＺＲ１、ＶＷＲサイエンティフィック社製、シカゴ、イリノイ）での激しい攪拌下で、３０分間、攪拌設定番号４で滴下添加した。該攪拌をその後、最も低い設定に減じ、そして該有機溶媒を室温で１６時間蒸発させた。形成したデキサメタゾン−ＰＬＧＡ微粒子を含有するＰＶＡ混合物を８０００ｒｐｍで遠心分離して、該微粒子をペレット化した。該微粒子を２回脱イオン水で洗浄し、そして凍結乾燥した。微粒子７４ｍｇを回収した（７４％収率）。該微粒子のデキサメタゾン含有を確認するために、微粒子２．５ｍｇを９：１ジクロロメタン：メタノール５ｍＬ中に溶解し、そして吸光度を２５０ｎｍで島津分光光度計（モデルＵＶ−１６０１、コロンビア、メリーランド）で測定した。該微粒子は５．８５％（ｗ／ｗ）のデキサメタゾンを含有すると決定した。
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
ａ）基端と先端とを有し、骨に受入れられるように適応し、かつ試行ステムを受入れるように適応する本体、
ｂ）本体に取付けられ試行ステムに係合する固定部、および
ｃ）試行ステム
を備え、骨の骨髄管に試行ステムを固定する装置。
【請求項２】
固定部分が締付け機構を用いて試行ステムに係合するクレーム１記載の装置。
【請求項３】
固定部分が、
本体に取付けられる第１捕捉部材、
第２捕捉部材、および
第１ファスナーを備え、第１ファスナーは第２捕捉部材に係合し、第２捕捉部材を第１捕捉部材の方へ移動させて試行ステムに係合するように適応する請求項１記載の装置。
【請求項４】
第１および第２捕捉部材間に介在する第１バイアスをさらに備える請求項３記載の装置。
【請求項５】
第１バイアスが第１圧縮スプリングであり、第１ファスナーを取り囲むように適応する請求項４記載の装置。
【請求項６】
第１捕捉部材が第１の穴を有し、第２捕捉部材は第２のねじ穴を有し、第１のファスナーは第１の穴を貫通して第２の穴にねじ込まれるように適応する第１引張ボルトであり、第１引張ボルトが締付けられるとき、第２捕捉部材が第１捕捉部材の方へ移動する請求項３記載の装置。
【請求項７】
第１捕捉部材が第３のねじ穴を有し、第２捕捉部材が第４の穴を有し、装置が、第４の穴を貫通して第３の穴にねじ込まれるように適応する第２引張ボルトを備え、第２引張ボルトが締付けられるとき、第２捕捉部材が第１捕捉部材の方へ移動して試行ステムに係合する請求項６記載の装置。
【請求項８】
第１捕捉部材は第１指片を備え、第２捕捉部材は第２指片を備え、試行ステムは第１指片と第２指片との間に係合される請求項３〜７のいずれか１つに記載の装置。
【請求項９】
試行ステムが第１外側フィンと第２外側フィンを備え、第１指片が第１外側フィンに係合し、第２指片が第２外側フィンに係合する請求項８記載の装置。
【請求項１０】
試行ステムは中央フィンを有し、第１指片と第２指片が中央フィンに係合する請求項８記載の装置。
【請求項１１】
第１および第２捕捉部材の間に介在して第２引張ボルトに巻き付いた第２圧縮スプリングをさらに備える請求項７記載の装置。
【請求項１２】
固定部が、第１捕捉部材に接続された捕捉部材コネクターをさらに備え、第２捕捉部材は、捕捉部材コネクターを摺動可能に受入れるように適応するコネクター穴を有する請求項３記載の装置。
【請求項１３】
本体が、
基端に設けられたカラー、
本体の基端から下へ延びる中央フィンスロット、
本体の基端から下へ延びる外側フィンスロット、
本体のカラーから下へ延びる２つの回転防止フィン、および
先端に設けられ内面を有する試行ステムスリーブ
を備える請求項３記載の装置。
【請求項１４】
試行ステムスリーブの内面に貼付けられるように適応する摩擦裏当てをさらに備える請求項１３記載の装置。
【請求項１５】
本体が基端にカラーを有し、固定部が半径方向に圧縮する半円形クランプであり、そのクランプは試行ステムをカラー内に嵌入させて試行ステムに係合するように適応する請求項１記載の装置。
【請求項１６】
固定部が、試行ステムを本体の先端に嵌入させて試行ステムに係合するように適応する圧縮可能な裏当てである請求項１記載の装置。
【請求項１７】
ａ）ステム部材とヘッド部材を各々有する補綴インプラントから選択されたものを備え、ステム部材は種々の長さと直径を有し、各ステム部材は切除された骨の骨髄管内に受入れられるように適応する第１端部と、ヘッド部材に接続される第２端部とを有し、ヘッド部材は種々の高さと直径を有し、置換を必要とする関節表面のサイズと形状に近づくように適応し、
ｂ）試行ステム部材と試行ヘッド部材とを各々が有する試行品から選択されたものを備え、試行ステム部材は補綴インプラントステム部材の長さと直径に対応する種々の長さと直径とを有し、試行ステム部材は、切除された骨の骨髄管内に受入れられるように適応する第１端部と、試行ヘッド部材に接続される第２端部とを有し、試行ヘッド部材は、補綴インプラントヘッド部材の高さと直径に対応する種々の高さと直径を有し、
ｃ）試行ステムを骨髄管内に固定するために試行ステムの長さと直径に対応する種々のサイズを有する装置から選択されたものと、
ｄ）装置と取付けられた試行ステムとを骨髄管内に挿入するための試行固定装置ドライバーと、
ｅ）装置を骨髄管から除去するための試行固定装置引抜き器と
を備え、請求項１〜１６のいずれか１つに記載の装置を用いて骨の関節接続部分の外科的置換を行うシステム。
【請求項１８】
補綴インプラントがモジュール方式で、ステム部材とヘッド部材とが分離され、一緒に結合されるように適応する請求項１７記載のシステム。
【請求項１９】
試行品がモジュール式で、試行ステム部材と試行ヘッド部材が分離され、一緒に結合されるように適応する請求項１７記載のシステム。
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
開口端を有するコンテナを含む空気清涼化デバイスであって、該コンテナが、水相およびフレグランスを含む疎水相を含む組成物を保持し、前記組成物が１０重量％を越える水を含み、前記コンテナの開口端が通気性モノリシックフィルムによって覆われている、前記空気清涼化デバイス。
【請求項２】
モノリシックフィルムが、ポリエチレングリコール、ポリプロピレングリコール若しくはポリテトラメチレングリコールまたはそれらの混合物から選択されたポリエーテルユニットにより形成されたソフトセグメントを含むコポリマーである、請求項１に記載の空気清涼化デバイス。
【請求項３】
モノリシックフィルムが、ポリ（エーテルコアミド）フィルムおよびポリ（エーテルコエステル）フィルムから選択される、請求項１または２に記載の空気清涼化デバイス。
【請求項４】
ａ）コンテナに水相を満たす工程、
ｂ）水相の上に、フレグランスを含む疎水相を添加する工程、
ｃ）コンテナの開口端を通気性モノリシックフィルムで被覆する工程、
および任意に、
ｄ）非通気性フィルムを通気性モノリシックフィルムに密着させる工程
を含む、請求項１〜３に記載の空気清涼化デバイスの製造方法。
【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
増影剤が心筋に入れられ、前記入れられた増影剤に従って、心臓周期に対して前記心筋において変化が測定される画像化装置；
を有することを特徴とする機器。
【請求項２】
請求項１に記載の機器であって：
心筋の細動脈と毛細血管とにおいて増影剤の微細気泡を破壊するための手段；及び
前記細動脈が微細気泡でリフィルするように十分長く、前記毛細血管が微細気泡で完全にリフィルされないように十分短い、微細気泡の破壊からの時間遅延において、前記細動脈においてリフィルされた微細気泡から、超音波の基本周波数の高調波間の又は第１高調波より小さい超音波応答を受信するために、超音波画像化を実行するための手段；
を有する、ことを特徴とする機器。
【請求項３】
請求項１に記載の機器であって：
心筋の細動脈と毛細血管とにおいて増影剤の微細気泡を破壊するための手段；及び
前記細動脈が微細気泡でリフィルするように十分長く、前記毛細血管が微細気泡で完全にリフィルされないように十分短い、微細気泡の破壊からの時間遅延において、前記細動脈においてリフィルされた微細気泡から超音波信号を受信するためにパワードップラモードを用いて、超音波画像化を実行するための手段；
を有する、ことを特徴とする機器。
【請求項４】
請求項１に記載の機器であって：
増影剤の微細気泡からの信号と線形組織信号とを有する超音波応答を受信するための非破壊画像化モードを用いて超音波画像化を実行するための手段；及び
前記超音波応答から前記線形組織信号を取り除くためであって、それ故、前記微細気泡から信号を受信するための手段；
を有する、ことを特徴とする機器。
【請求項５】
請求項１に記載の機器であって：
前記心筋の細動脈と毛細血管とにおいて増影剤の微細気泡が破壊されるような強度において、心筋に超音波エネルギーを伝送するための手段；及び
前記細動脈が微細気泡でリフィルするように十分長く、前記毛細血管が微細気泡で完全にリフィルされないように十分短い、前記微細気泡の前記破壊からの時間遅延の後に、前記伝送された超音波エネルギーの前記強度より小さい強度において、超音波画像化を実行するための手段；
を有する、ことを特徴とする機器。
【請求項６】
心筋の細動脈と毛細血管とにおいて増影剤の微細気泡を破壊するため段階；及び
前記細動脈が微細気泡でリフィルするように十分長く、前記毛細血管が微細気泡で完全にリフィルされないように十分短い、微細気泡の破壊からの時間遅延において、前記細動脈においてリフィルされた微細気泡から、超音波の基本周波数の高調波間の又は第１高調波より小さい超音波応答を受信するために、超音波画像化を実行する段階；
を有する、ことを特徴とする方法。
【請求項７】
請求項６に記載の方法であって：
受信信号に従って画像を表示する段階；及び
表示画像においてカラーコード化オーバーレイにより周期的後方散乱を表示する段階；
を更に有する、ことを特徴とする方法。
【請求項８】
請求項６に記載の方法であって、画像化モダリティは超音波画像化である、ことを特徴とする方法。
【請求項９】
請求項６に記載の方法であって、画像化モダリティは、細動脈においてリフィルされた微細気泡から信号を受信するために、パワードップラモードを用いる超音波画像化である、ことを特徴とする方法。
【請求項１０】
請求項６に記載の方法であって、画像化モダリティは、前記伝送された超音波エネルギーの前記強度より小さい強度における超音波画像化である、ことを特徴とする方法。
【請求項１１】
請求項９又は１０に記載の方法であって、超音波画像化を実行する段階は；
前記微細気泡からの信号と実質的に線形な組織信号とを有する超音波応答を受信するための非破壊画像化モードを用いて超音波画像化を実行する手順であって、前記非破壊画像化モードは前記超音波応答から実質的に線形な組織信号を取り除き、それ故、前記微細気泡から信号を受信する、手順；
を有する、ことを特徴とする方法。
【請求項１２】
請求項９又は１０に記載の方法であって、前記の超音波画像化を実行する段階は、細動脈においてリフィルされた微細気泡からの信号と組織信号とを有する超音波応答を受信する段階であり：
前記組織信号を取り除くために前記受信された超音波応答をウォールフィルタリングする手順；
を有する、ことを特徴とする方法。
【請求項１３】
請求項９又は１０に記載の方法であって、前記の超音波画像化を実行する段階は、細動脈においてリフィルされた微細気泡からの信号と組織信号とを有する超音波応答を受信する段階であり：
組織の動きをみて前記受信された超音波応答を適切にウォールフィルタリングし、それ故、前記組織信号を取り除く手順；
を有する、ことを特徴とする方法。
【請求項１４】
請求項８又は９に記載の方法であって、前記破壊する段階は：
前記微細気泡が破壊されるようにする強度において、前記心筋に超音波エネルギーを放射する手順；
を有する、ことを特徴とする方法。
【請求項１５】
請求項８乃至１０のいずれ一項に記載の方法であって：
前記破壊する段階は、１つの完全な心臓周期と一致する数又はレートを有する少なくとも１つの群において制御される破壊フレームにおける超音波エネルギーを伝送する手順を有する；
ことを特徴とする方法。
【請求項１６】
請求項８乃至１０のいずれ一項に記載の方法であって、前記破壊する段階は：
前記破壊する段階は、１つの完全な心臓周期と一致するように制御される破壊フレームにおける超音波エネルギーを伝送する手順を有し；
前記超音波画像化を実行する段階はフレームにおいて超音波エネルギーを放射し；そして
前記時間遅延は破壊フレームのシーケンスにおける最後の破壊フレームの伝送から前記放射により第1フレームの放射までのものであり、前記時間遅延は最小のフレーム間の時間に等しいか又はそれより長く、且つ1つの心臓周期に対応する時間に等しいか又はそれより短い；
ことを特徴とする方法。
【請求項１７】
請求項９に記載の方法であって、前記超音波画像化を実行する段階は：
前記心臓周期の比較的静止した部分の間に超音波画像化フレームをトリガする手順；
を有する、ことを特徴とする方法。
【請求項１８】
請求項１０に記載の方法であって、前記超音波画像化は、リアルタイムに細動脈において微細気泡のリフィリングを検出するために実行される、ことを特徴とする方法。
【請求項１９】
請求項１０に記載の方法であって、前記超音波画像化を実行する段階は：
リアルタイムに細動脈において微細気泡のリフィリングを検出する手順；及び
前記検出されたリフィリングからの信号を定量化し、表示する手順；
を有する、ことを特徴とする方法。